(57)【要約】【課題】地域ごとに蓋の記載事項が変わる場合であっても、その蓋を共通して使用することが可能な水道メータを提供する。【解決手段】蓋部２は、透明材料から構成される本体部４と、その本体部４の裏面に取り付けられる表記部材５とから構成される。表記部材５の表面には、製造メーカ名４５やメーカマーク又は都市マーク４６等の記載事項が表記される。本体部４の表面側から、表記部材５の記載事項が視認可能にされている。本体部４には何も記載されていないので、地域ごとに蓋部２の記載事項が変わる場合であっても、本体部４を共通化して用いることが可能となる。【選択図】図４
2008064557.tif 000002
【特許請求の範囲】
【請求項１】
水道水の供給経路上に配置され、該水道水の積算使用量を表示する水道メータであって、
上部が開口した本体ケースと、
前記本体ケースの上部開口から視認可能な位置に配置され、前記水道水の積算使用量を表示する積算表示部と、
前記本体ケースの前記上部開口を形成する縁部に対し、前記積算表示部を隠蔽する閉位置と、前記積算表示部が視認可能な開位置との間で開閉自在に取り付けられた蓋部とを備え、
前記蓋部は、蓋部表面側から裏面側を厚さ方向に透視可能な透明材料からなる透視部を有し、前記上部開口の前記縁部に対し開閉自在に取り付けられる本体部と、非透明部材からなる板状またはシート状に形成され、少なくとも表面側が、前記本体部の前記透視部の裏面に密着させた形で取り付けられ、所定の記載事項が表記された記載事項表記領域とされる表記部材とを備え、前記本体部の前記透視部の表面側から前記表記部材の表面に形成された前記記載事項表記領域が視認可能とされたことを特徴とする水道メータ。
【請求項２】
前記表記部材の裏面には、前記記載事項表記領域とは別に裏側記載事項表記領域が形成されている請求項１記載の水道メータ。
【請求項３】
前記表記部材は、その周縁形状が前記本体部の周縁形状よりも小さく形成され、
該表記部材が取り付けられる前記透視部の周縁部と前記本体部の周縁部との間の領域は、蓋部表面側から裏面側への厚さ方向の透視が阻止される遮光領域とされている請求項１または２記載の水道メータ。
【請求項４】
前記本体部において前記遮光領域をなす部分が厚さ方向にわたって前記透視部よりも光透過率の小さい遮光性材料にて構成されている請求項３記載の水道メータ。
【請求項５】
前記本体部は全体が前記透視部をなす透明材料からなり、かつ前記遮光領域にて前記本体部の裏面に、前記透視部よりも光透過率が小さい遮光体が取り付けられている請求項３記載の水道メータ。
【請求項６】
前記表記部材には、表記部材側位置規制面が厚さ方向に沿って形成され、
前記本体部の裏面には、該本体部の厚さ方向に沿って本体部側位置規制面が形成され、該本体部側位置規制面が前記表記部材側位置規制面と当接することにより、前記表記部材を前記本体部の前記裏面にて面内方向に位置決めする請求項１ないし５のいずれか１項に記載の水道メータ。
【請求項７】
前記本体部の前記裏面から厚さ方向に突出する位置決め突出部が形成され、
前記表記部材には、前記位置決め突出部が挿入される位置決め孔が形成され、
前記位置決め突出部の外周面が前記本体部側位置規制面とされ、前記位置決め孔の内周面が前記表記部材側位置規制面とされ、これら前記本体部側位置規制面と前記表記部材側位置規制面との当接により、前記表記部材が前記本体部の前記裏面にて面内方向に位置決めされる請求項６記載の水道メータ。
【請求項８】
前記位置決め突出部を前記位置決め孔に挿入した際に、その先端部が前記表記部材の裏面から突出するように、該位置決め突出部の突出長さが定めらており、該位置決め突出部の前記先端部に、前記位置決め孔よりも径大な熱加締め部が形成され、その熱加締め部の座面が前記表記部材の前記裏面に密着係合する形で、該表記部材を固定する請求項７記載の水道メータ。
【発明の詳細な説明】
【技術分野】
【０００１】
本発明は水道メータに関するものである。
【背景技術】
【０００２】
従来から、水道水の積算使用量を表示する水道メータが使用されている。この水道メータに表示された積算使用量に基づいて、水道料金の請求がされる。
【特許文献１】特開２００２−３１０７４１号公報
【０００３】
水道メータの蓋には、その水道メータを製造したメーカの名称や、製造番号、口径等が記載される。また、水道メータが使用される地域の印章（都市マーク）を記載する場合もある。
【発明の開示】
【発明が解決しようとする課題】
【０００４】
水道メータの蓋は樹脂成型によって製造される。上述のメーカ名や製造番号等は金型の表面に予め凸凹によって形成されており、この金型を用いて樹脂成型することで、表面にメーカ名等が凹凸によって記載された蓋を製造する。
【０００５】
従って、蓋に都市マークを記載する場合、都市ごとに専用の金型を用意する必要がある。また、都市ごとに蓋の色を分ける必要もある。これらの理由から、複数の都市にわたって水道メータを販売しようとした場合、都市ごとに専用の蓋を用意せねばならず、蓋を共通化できないという問題があった。
【０００６】
本発明の課題は、地域ごとに蓋の記載事項が変わる場合であっても、その蓋を共通して使用することが可能な水道メータを提供することである。
【課題を解決するための手段および発明の効果】
【０００７】
上記課題を解決するために本発明は、水道水の供給経路上に配置され、水道水の積算使用量を表示する水道メータであって、
上部が開口した本体ケースと、
本体ケースの上部開口から視認可能な位置に配置され、水道水の積算使用量を表示する積算表示部と、
本体ケースの上部開口を形成する縁部に対し、積算表示部を隠蔽する閉位置と、積算表示部が視認可能な開位置との間で開閉自在に取り付けられた蓋部とを備え、
蓋部は、蓋部表面側から裏面側を厚さ方向に透視可能な透明材料からなる透視部を有し、上部開口の縁部に対し開閉自在に取り付けられる本体部と、非透明部材からなる板状またはシート状に形成され、少なくとも表面側が、本体部の透視部の裏面に密着させた形で取り付けられ、所定の記載事項が表記された記載事項表記領域とされる表記部材とを備え、本体部の透視部の表面側から表記部材の表面に形成された記載事項表記領域が視認可能とされたことを特徴とする。
【０００８】
上記本発明の水道メータによると、蓋部は、透明材料からなる透視部を有する本体部と、その本体部の裏面に取り付けられた表記部材とを含む。表記部材の表面は、所定の記載事項（製造メーカ名、メーカマーク又は都市マーク、口径、都市指定番号など）が記載された記載事項表記領域とされている。この記載事項表記領域を透明部の裏面に密着させた形で、表記部材が取り付けられる。そして、本体部の透視部の表面側から、表記部材の表面に形成された記載事項表記領域が視認可能とされている。この構成によると、本体部には何も記載する必要がないため、本体部を複数の地域にわたって共通して使用することができる。また、表記部材の表面の記載事項は印刷することができるため、樹脂成型用の金型が不要となり、従って、地域ごとに記載事項が変わったとしても印刷内容を変えるだけですむ。つまり、表記部材も共通して使用することが可能である。
【０００９】
この場合、表記部材の裏面には、記載事項表記領域とは別に裏側記載事項表記領域を形成することができる。これにより、表面に記載できない情報を裏面に記載することが可能となる。また近年、国際規格（ＯＩＭＬ）の要請により、従来の水道メータに記載されている事項に加えて更に多くの情報を記載する必要が生じている。これらの情報は、積算表示部（ダイヤル）付近に表示することが多いが、十分なスペースを確保できない場合もある。しかし本発明のように、表記部材の裏面を使うことにより、より多くの情報を表記することが可能となる。また、本発明によると、新たに別の情報を記載する必要が生じても、表記部材の裏面に追加情報を印刷するだけでよく、従来のように樹脂成型用の金型を変える必要はない。
【００１０】
また、表記部材は、その周縁形状が本体部の周縁形状よりも小さく形成され、表記部材が取り付けられる透視部の周縁部と本体部の周縁部との間の領域は、蓋部表面側から裏面側への厚さ方向の透視が阻止される遮光領域とされたものとすることができる。水道メータは口径により蓋の大きさが異なっており、一番小さなもの（１３ｍｍ）から２０ｍｍ、２５ｍｍ、４０ｍｍと口径が大きくなるに従って、段階的に蓋が大きくなっていく。一番小さな口径（１３ｍｍ）の表記部材を共通化して、大きな口径の蓋に用いることが可能であるが、表記部材の周囲が透明であるとバランスが悪くなったり、見たときに違和感を生じることがある。この場合、表記部材を取り付ける部分（透視部）のみ透明にし、その透視部の周縁部と本体部の周縁部との間の領域を不透明（遮光領域）とすることで、この問題を回避することができる。また、この遮光領域を色付けし、使用者識別色（各都市の水道局が指定する色）や年度識別色（検定試験を行った年を識別するための色）にしてもよい。
【００１１】
具体的には、本体部において遮光領域をなす部分が厚さ方向にわたって透視部よりも光透過率の小さい遮光性材料にて構成されたものとすることができる。
【００１２】
また、本体部は全体が透視部をなす透明材料からなり、かつ遮光領域にて本体部の裏面に、透視部よりも光透過率が小さい遮光体が取り付けられたものとすることができる。水道メータをリサイクルすると、使用者識別色や年度識別色を変える必要が生じる場合があるが、上記構成によれば、遮光体を取り替えることにより、簡単に色を変えることができる。
【００１３】
一方、表記部材には、表記部材側位置規制面が厚さ方向に沿って形成され、本体部の裏面には、本体部の厚さ方向に沿って本体部側位置規制面が形成され、本体部側位置規制面が表記部材側位置規制面と当接することにより、表記部材を本体部の裏面にて面内方向に位置決めすることができる。このようにすると、表記部材５の面内方向の位置決めを簡単に行うことができる。
【００１４】
例えば、本体部の裏面から厚さ方向に突出する位置決め突出部が形成され、表記部材には、位置決め突出部が挿入される位置決め孔が形成され、位置決め突出部の外周面が本体部側位置規制面とされ、位置決め孔の内周面が表記部材側位置規制面とされ、これら本体部側位置規制面と表記部材側位置規制面との当接により、表記部材を本体部の裏面にて面内方向に位置決めすることができる。この構成によると、本体部に形成された位置決め突出部に、表記部材に形成された位置決め孔を挿入することにより、表記部材を簡単に位置決めすることができる。
【００１５】
次に本発明は、位置決め突出部を位置決め孔に挿入した際に、その先端部が表記部材の裏面から突出するように、位置決め突出部の突出長さが定めらており、位置決め突出部の先端部に、位置決め孔よりも径大な熱加締め部が形成され、その熱加締め部の座面が表記部材の裏面に密着係合する形で、表記部材を固定するものとすることができる。このようにすると、本体部に対して表記部材をしっかりと固定することができ、本体部の裏面から表記部材が脱落するような不具合が生じにくい。
【発明を実施するための最良の形態】
【００１６】
本発明の実施形態を、図面を参照しながら以下に説明する。
図１は本発明に係る水道メータ１の外観図であり、図２は断面図である。図示するように水道メータ１は、上部が開口した本体ケース３と、その本体ケース３の内部に収納され、水道水の使用量を計量する計量部３５と、本体ケース３の上部開口５０から視認可能な位置に配置され、水道水の積算使用量を表示する積算表示部４０（図３参照）とを備える。また、本体ケース３の上部開口５０を形成する縁部に対し、積算表示部４０を隠蔽する閉位置と、積算表示部４０が視認可能な開位置との間で開閉自在に取り付けられた蓋部２を備える。
【００１７】
本体ケース３は上ケース３３と、下ケース１０とから構成されている。下ケース１０には、流入側ノズル１１ａと流出側ノズル１１ｂとが設けられ、そのうち流入側ノズル１１ａには、異物を除去するためのストレーナ１２が取り付けられている。また、下ケース１０の底部には十字状に突出した水平設置支え１３が形成され、内部の計量室Ａには羽根車１８が回転自在に設けられている。
【００１８】
また、羽根車１８の軸部上端にはマグネット１７が取り付けられている。下ケース１０の内部には、下ガスケット１９を挟んでレジスタボックス２０が組付けられている。
【００１９】
レジスタボックス２０には上台板２４、マグネット歯車２６、歯車列２７、指針２８、数字車２９が設けられ、レジスタボックス２０の上部に、Ｏリング３１を挟んでガラス板３０が設けられている。またマグネット歯車２６は、レジスタボックス２０の底壁を挟んで羽根車１８のマグネット１７に対向する位置に配置されている。
【００２０】
レジスタボックス２０の上部には、上ガスケット３２を挟んで上ケース３３が取り付けられ、下ケース１０に螺子固定されている。また、上述した蓋部２はピン３４により上ケース３３に開閉自在に取り付けられている。
【００２１】
水道水は、流入側ノズル１１ａから計量室Ａ内に流入し、水量に応じた回転速度で羽根車１８を回転した後、流出側ノズル１１ｂから流出する。この羽根車１８の回転によりマグネット歯車２６が回転し、その回転力が歯車列２７伝わって、指針２８が回転する。また、数字車２９が回転して、水道水の積算使用量が積算表示部４０に表示される。
【００２２】
図３に、蓋部２を開いた状態の上面図を示す。図示するように、上台板２４に形成された積算表示部４０、指針２８、メーカマーク４３、口径／最大流量４２、型式承認番号４１、水流方向４４が、上述したガラス板３０を通して上部開口５０から視認できるようになっている。
【００２３】
蓋部２の表面図および断面図を図４に示す。図示するように蓋部２は、蓋部表面側から裏面側を厚さ方向に透視可能な透明材料からなる透視部４ａを有し、上部開口５０の縁部に対し開閉自在に取り付けられる本体部４を備える。本実施例では、本体部４の全体が透明材料から構成されている。また、非透明部材からなる板状またはシート状に形成され、少なくとも表面Ｓ１側が、透視部４ａの裏面に密着させた形で取り付けられ、所定の記載事項（製造メーカ名４５、メーカマーク又は都市マーク４６、製造番号刻印スペース４８、口径４７）が表記された記載事項表記領域Ａ１とされた表記部材５を備え、透視部４ａの表面側から表記部材５の表面に形成された記載事項表記領域Ａ１が視認可能とされている。
【００２４】
この構成によると、本体部４には何も記載する必要がない。そのため、本体部４を複数の地域にわたって共通して使用することができる。また、表記部材５の表面の記載事項は印刷することができるため、樹脂成型用の金型が不要となり、従って、地域ごとに記載事項が変わったとしても印刷内容を変えるだけですむ。つまり、表記部材５も共通して使用することが可能である。
【００２５】
次に、蓋部２の裏面図を図５に示す。図示するように表記部材５の裏面には、記載事項表記領域Ａ１とは別に裏側記載事項表記領域Ａ２が形成されている。これにより、表面に記載できない情報を裏面に記載することが可能となる。具体的には、国際規格（ＯＩＭＬ）の要請により追加された表示事項６１と、製造番号６２と、水道メータ１が計量法で定められた検定試験に合格したことを証明するための証印６０とが、裏側記載事項表記領域Ａ２に表記されている。
【００２６】
近年、国際規格（ＯＩＭＬ）の要請により、従来の水道メータに記載されている事項に加えて更に多くの情報を記載する必要が生じている。これらの情報は、積算表示部４０（図３参照）付近に表示することが多いが、十分なスペースを確保できない場合もある。しかし本発明のように、表記部材５の裏面を使うことにより、より多くの情報を表記することが可能となり、図５に示すように国際規格追加表示事項６１を記載することが可能となる。また、本発明によると、新たに別の情報を記載する必要が生じても、表記部材５の裏面に追加情報を印刷するだけでよく、従来のように樹脂成型用の金型を変える必要はない。
【００２７】
次に、本発明の別の実施例を図６に示す。この実施例では、表記部材５は、その周縁形状が本体部４の周縁形状よりも小さく形成され、表記部材５が取り付けられる透視部４ａの周縁部と本体部４の周縁部との間の領域は、蓋部２の表面側から裏面側への厚さ方向の透視が阻止される遮光領域６とされている。水道メータは口径により蓋の大きさが異なっており、一番小さなもの（１３ｍｍ）から２０ｍｍ、２５ｍｍ、４０ｍｍと口径が大きくなるに従って、段階的に蓋の半径が大きくなっていく。本実施例では、口径は２０ｍｍであるが、表記部材５は１３ｍｍ用のものを用いている。このようにすると、口径の異なる水道メータの間で、表記部材５を共通して使用することが可能となる。なお、ここで遮光領域６を形成せず、透視部４ａと同様に透明にすることも可能であるが、裏側が透けて見えるため、バランスが悪くなったり、見たときに違和感を生じることがある。しかし本実施例のように、表記部材５を取り付ける部分（透視部４ａ）のみ透明にし、その透視部４ａの周縁部と本体部４の周縁部との間の領域を不透明（遮光領域６）とすることで、この問題を回避することができる。また、この遮光領域６を色付けし、使用者識別色（各都市の水道局が指定する色）や年度識別色（検定試験を行った年を識別するための色）にしてもよい。
【００２８】
次に、図６に示した蓋部２の断面図を図７に示す。図示するように、本体部４において遮光領域６をなす部分が厚さ方向にわたって透視部４ａよりも光透過率の小さい遮光性材料にて構成されている。本体部４は、例えば透明な合成樹脂で構成されている。この本体部４のうち、遮光領域６をなす部分だけ着色等を施すことにより、遮光性のある材料にすることができる。
【００２９】
また、蓋部２は図８のように構成することもできる。この実施例では、本体部４は全体が透視部４ａをなす透明材料からなり、かつ遮光領域６にて本体部４の裏面に、透視部４ａよりも光透過率が小さい遮光体６０が取り付けられている。水道メータ１をリサイクルすると、使用者識別色や年度識別色を変える必要が生じる場合があるが、上記構成によれば、遮光体６０を取り替えることにより、簡単に色を変えることができる。
【００３０】
次に、表記部材５を本体部４に固定する方法について、図９を用いて説明する。図９（Ａ）に示すように、表記部材５には、表記部材側位置規制面Ｓ３が厚さ方向に沿って形成され、本体部４の裏面には、本体部４の厚さ方向に沿って本体部側位置規制面Ｓ４が形成され、本体部側位置規制面Ｓ４が表記部材側位置規制面Ｓ３と当接することにより、表記部材５を本体部４の裏面にて面内方向に位置決めしている。このようにすると、表記部材５の面内方向の位置決めを簡単に行うことができる。
【００３１】
具体的には、本体部４に形成された位置決め突出部７を、表記部材５に形成された位置決め孔８に挿通し、接着剤等で固定する。より詳細に説明すると、図９（Ａ）及び図９（Ｂ）に示すように、本体部４の裏面から厚さ方向に突出する位置決め突出部７が形成され、表記部材５には、位置決め突出部７が挿入される位置決め孔８が形成され、位置決め突出部７の外周面が本体部側位置規制面Ｓ４とされ、位置決め孔８の内周面が表記部材側位置規制面Ｓ３とされ、これら本体部側位置規制面Ｓ４と表記部材側位置規制面Ｓ３との当接により、表記部材５が本体部４の裏面にて面内方向に位置決めされる。これにより、位置決め突出部７を位置決め孔８に挿入するだけで、表記部材５を面内方向に簡単に位置決めし、固定することができる。
【００３２】
さらに詳しくは、位置決め孔８は、表記部材５の中心点Ｏを通る直線ｌ上に、その中心点Ｏに関して互いに反対となる位置に二個設けられている。そして、ピン３４側に形成された位置決め孔８ａから表記部材５の外周縁までの距離Ｌ１は、反対側に形成された位置決め孔８ｂから表記部材５の外周縁までの距離Ｌ２よりも小さくされている。また、本体部４の裏面から厚さ方向に突出したピン孔形成部３４ａの内面から位置決め突出部７ａまでの距離Ｌ３は、Ｌ２よりも短くされている。この構成によると、蓋部２を製造する際に、誤って表記部材５を１８０°反対に向けて取り付けたとしても、Ｌ２＞Ｌ３となっているため、表記部材５の外周縁がピン保持部３４ａの内面に当接し、位置決め突出部７ａ，７ｂが位置決め孔８ａ，８ｂに入らなくなる。そのため、表記部材５の向きの間違いを防止できる。
【００３３】
一方、表記部材５は、図１０の要部拡大図に示すようにして固定することができる。この実施形態では、位置決め突出部７を位置決め孔８に挿入した際に、その先端部が表記部材５の裏面Ｓ２から突出するように、当該位置決め突出部７の突出長さが定められており、位置決め突出部７の先端部に、位置決め孔８よりも径大な熱加締め部９が形成され、その熱加締め部９の座面Ｓ５が表記部材５の裏面Ｓ２に密着係合することにより、表記部材５を本体部４の裏面に固定している。この構成によると、本体部４に対して表記部材５をしっかりと固定することができ、本体部４の裏面から表記部材５が脱落するような不具合が生じにくい。
【００３４】
次に、表記部材５の別の取付け方法を図１１に示す。図１１の実施例では、本体部４の外周縁部における裏面に、厚さ方向に突出する形で位置決め突部７が形成されており、その位置決め突部７の内側側面が本体部側位置規制面Ｓ４とされている。また、表記部材５の外周面にガイド溝８０が形成され、そのガイド溝８０の内面が表記部材側位置規制面Ｓ３とされている。ガイド溝８０の表記部材側位置規制面Ｓ３が本体部側位置規制面Ｓ４に当接し、これにより、表記部材５が本体部４の裏面において面内方向に位置決めされる。また、位置決め突部７の先端部には、表記部材５の外周縁部と係合する係合爪７０が形成されている。表記部材５を嵌入する際、この係合爪７０が弾性変形しながら表記部材５が入る。嵌入が完了すると係合爪７０が弾性復帰し、これにより、表記部材５が本体部４に対して固定される。
【図面の簡単な説明】
【００３５】
【図１】本発明に係る水道メータの外観図。
【図２】水道メータの断面図。
【図３】蓋部を開けた状態。
【図４】蓋部の表面図および断面図。
【図５】蓋部の裏面図。
【図６】蓋部の別の実施例。
【図７】図６断面図。
【図８】図７の変形例。
【図９】表記部材の取付け例を示す図。
【図１０】熱加締め部を形成した例。
【図１１】表記部材の取付け方法の別の例。
【符号の説明】
【００３６】
１  水道メータ
２  蓋部
３  本体ケース
４  本体部
４ａ  透視部
５  表記部材
６  遮光領域
７  位置決め突出部
８  位置決め孔
９  熱加締め部
Ａ１  記載事項表記領域
Ａ２  裏側記載事項表記領域
Ｓ３  表記部材側位置規制面
Ｓ４  本体部側位置規制面
【図１】
2008064557.tif 000003
【図２】
2008064557.tif 000004
【図３】
2008064557.tif 000005
【図４】
2008064557.tif 000006
【図５】
2008064557.tif 000007
【図６】
2008064557.tif 000008
【図７】
2008064557.tif 000009
【図８】
2008064557.tif 000010
【図９】
2008064557.tif 000011
【図１０】
2008064557.tif 000012
【図１１】
2008064557.tif 000013